(57)【特許請求の範囲】
【請求項１】
それぞれコーンに嵌合される輪状部を備えた一対の本体と、各前記本体に設けられた筒状部と、筒状をなしており、前記筒状部の内周側に嵌合された状態で前記筒状部に固定されるジョイントと、前記ジョイントに、該ジョイントの内部を横断するように設けられている支持棒と、両端部を前記ジョイント内部に挿入されるとともに前記支持棒に貫通されることにより、前記ジョイントを介して前記本体に両端部をそれぞれ接続されたチェーンまたはロープとを有してなる仮柵構成具。
【請求項２】
前記ジョイントは、それぞれ筒を２つに縦割りした形状をなす第一の分割部分と第二の分割部分とを有してなり、前記第一の分割部分には前記支持棒、前記第二の分割部分には棒受部がそれぞれ設けられており、前記第一および第二の分割部分は前記支持棒の先端部が前記棒受部に嵌合されるようにして互いに組み合わされて全体として筒状をなしている請求項１記載の仮柵構成具。
【請求項３】
前記ジョイントはプラスチック成形品からなり、前記第一および第二の分割部分は、これらの分割部分と一体的に形成された屈曲可能で蝶番機能を果たす連結片により互いに連結されている請求項２記載の仮柵構成具。
【請求項４】
前記一対の本体に両端部をそれぞれ接続されるのは多数のリングをつなぎ合わせてなるチェーンであって、
該チェーンの両端部の前記リングに前記支持棒が貫通されている請求項１，２または３記載の仮柵構成具。
【請求項５】
前記一対の本体に両端部をそれぞれ接続されるのはロープであって、
該ロープの両端部においては該ロープを構成する互いに撚り合わされた子縄がほどけないように処理されており、該ロープの両端部において前記子縄間に前記支持棒が貫通されている請求項１，２または３記載の仮柵構成具。
【発明の詳細な説明】
【０００１】
【発明の属する技術分野】
本発明は、安全用品として広く使用されている所謂カラーコーン等のコーンと組み合わせることにより、建設工事・道路工事等の工事現場、工場内の所定区域、歩行者天国等の所望の区域を一時的（非恒久的）に囲んだり、区切ったりするための仮柵を構成する仮柵構成具に関する。
【０００２】
【従来の技術】
従来、この種の仮柵構成具としては、図１に示されるような一般にコーンバーと称されているものが知られている。このコーンバー１は、棒２の両端部にそれぞれ輪状部３を固定してなり、各輪状部３を、２つのカラーコーン等のコーン４の上部に嵌合することにより、コーン４間に棒２を横方向に渡して仮柵を構成するようになっている。
【０００３】
【発明が解決しようとする課題】
しかしながら、前記従来のコーンバー１においては、棒２を使用しているので、不使用時にも場所をとるため、保管および運搬に不便であるという問題があった。
【０００４】
本発明は、このような従来の事情に鑑みてなされたもので、本発明の１つの目的は、チェーンまたはロープを用いることにより、不使用時には場所をとらない状態とすることができ、保管および運搬に便利な仮柵構成具を提供することにある。
【０００５】
本発明の他の目的は、組立の容易な仮柵構成具を提供することにある。
【０００６】
本発明の他の目的は、チェーンおよびロープのいずれを用いる場合も、同一の部品を兼用して用いることができる仮柵構成具を提供することにある。
【０００７】
本発明のさらに他の目的は、以下の説明から明らかになろう。
【０００８】
【課題を解決するための手段】
本発明による仮柵構成具は、それぞれコーンに嵌合される輪状部を備えた一対の本体と、これらの本体に両端部をそれぞれ接続されたチェーンまたはロープとを有してなるものである。
【０００９】
本発明の仮柵構成具は、一対の本体の輪状部を、２つのコーンにそれぞれ嵌合することにより、コーン間にチェーンまたはロープを渡して仮柵を構成することができる。
【００１０】
本発明の仮柵構成具においては、棒を用いないで、チェーンまたはロープを用いるので、不使用時にはチェーンまたはロープをまとめて場所をとらない状態とすることができため、保管および運搬に便利である。
【００１１】
【発明の実施の形態】
以下、本発明を実施例に基づいて説明する。
【００１２】
【実施例】
図２〜６は、本発明による仮柵構成具の第一実施例を示す。この実施例において、仮柵構成具５は、一対の本体６と、これらの本体６に両端部をそれぞれジョイント７を介して接続されたチェーン８とを有してなる。
【００１３】
各本体６はプラスチック成形品からなり、輪状部９と筒状部１０とを一体成形されている。前記ジョイント７もプラスチック成形品からなり、図４および５によく示されるように、第一の分割部分７ａ、第二の分割部分７ｂおよび連結片１１を一体的に有している。前記第一の分割部分７ａおよび第二の分割部分７ｂは、それぞれ基本的には半円筒状をなしており、これらの分割部分７ａ，７ｂの一端部に形成された屈曲可能で蝶番機能を果たす前記連結片１１により互いに開閉可能に連結されている。前記ジョイント７の第一の分割部分７ａの内面側には、該第一の分割部分７ａの径方向に突出する支持棒１２が一体的に設けられている。また、この第一の分割部分７ａの両側の側端には適当数の連結穴１３が設けられている。他方、前記第二の分割部分７ｂの内面側の前記支持棒１２に対応する位置には、穴状の棒受部１４が設けられている。また、この第二の分割部分７ｂの両側の側端の前記連結穴１３に対応する位置には、適当数の連結突起１５が設けられている。前記ジョイント７の第一および第二の分割部分７ａ，７ｂは、連結片１１を回転軸として図５のように開いている状態から図４のように閉じた状態とすると、支持棒１２の先端部が棒受部１４に嵌合されるとともに連結穴１３に連結突起１５が嵌合されて互いに組み合わされ、この組立状態では、全体として基本的には円筒状をなすようになっている。前記第一および第二の分割部分７ａ，７ｂの他端部には、それぞれ半円の円弧状かつ板状をなすロープカバー嵌合部１６ａ，１６ｂが形成されている。これらのロープカバー嵌合部１６ａ，１６ｂは、ジョイント７が組み立てられた状態では、全体として環状板状をなすようになっている。
【００１４】
図２〜５において、チェーン８は一般的なチェーンであって、プラスチックまたは金属からなる多数のリング８ａをつなぎ合わせてなる。前記ジョイント７は、その第一および第二の分割部分７ａ，７ｂを、連結片１１を回転軸として図５のように開いている状態から図４のように閉じることにより、チェーン８の両端部を構成するリング８ａに支持棒１２を貫通させるとともに、支持棒１２の先端部を棒受部１４に嵌合させ、かつ連結穴１３に連結突起１５を嵌合させるようにして互いに組み合わされた後、連結片１１側の端部を先頭にして本体６の筒状部１０の内周側に圧入状態で嵌合され、さらにネジ１７により筒状部１０に固定されている。そして、これにより、チェーン８はその両端部をそれぞれジョイント７を介して一対の本体６に接続されている。また、前記チェーン８はロープカバー嵌合部１６ａ，１６ｂを貫通した状態となっている。
【００１５】
この仮柵構成具５においては、図６に示されるように、一対の本体６の輪状部９を、２つのコーン４にそれぞれ嵌合することにより、コーン４間にチェーン８を渡して仮柵を構成することができる。
【００１６】
そして、棒を用いないで、チェーン８を用いるので、不使用時にはチェーン８をまとめて、場所をとらない状態とすることができため、保管および運搬に便利である。
【００１７】
また、前記のようにジョイント７の第一および第二の分割部分７ａ，７ｂを、チェーン８の両端部を構成するリング８ａに支持棒１２が貫通させた状態で組み合わせた後、ジョイント７を本体６の筒状部１０の内周側に嵌合し、しかる後にネジ１７により筒状部１０に固定するのみで、チェーン８の両端部をそれぞれジョイント７を介して本体６に接続できるので、組立が容易である。
【００１８】
なお、本実施例では、ネジ１７を用いてジョイント７を筒状部１０に固定しているが、本発明においては、ネジ１７を用いずに、接着等によりジョイント７を筒状部１０に固定してもよいし、圧入のみによりジョイント７を筒状部１０に固定してもよい。また、ジョイント７を筒状部１０に対し非圧入状態で嵌合した上、何らかの手段によりジョイント７を筒状部１０に固定するようにしてもよい。
【００１９】
図７〜１０は、本発明による仮柵構成具５の第二実施例を示している。この実施例は、チェーン８の代わりにロープ１８を用いる場合の実施例を示している。本実施例における本体６およびジョイント７は、前記第一実施例におけるそれらと全く同一のものである。
【００２０】
ロープカバー１９はプラスチック成形品により構成されていて、全体に大略円盤状なしており、中心部にロープ挿通穴２０を貫通されている。また、このロープカバー１９の外周には、環状の溝状をなすジョイント嵌合部２１が設けられている。前記ロープ挿通穴２０にはロープ１８が挿通されている。このロープ１８はポリエチレン等の合成樹脂繊維からなり、通常のロープと同様に、繊維を撚り合わせてなる数本の子縄（ストランド、strand）１８ａをさらに撚り合わせてなる。このロープ１８の両端部はヒートカットされて融着状態とされることにより、前記繊維および子縄がほどけないようにされている。また、このロープ１８の両端部には、挾着体２２が装着されている。これらの挾着体２２は、図９によく示されるように帯状の金属板からなり、ロープ１８を挟み込んだ状態で押し潰されることによりロープ１８を強く挟み付けており、これによりさらに子縄１８ａがほどけないようになっている。
【００２１】
前記ジョイント７は、その第一および第二の分割部分７ａ，７ｂを、連結片１１を回転軸として図８のように開いている状態から図７のように閉じることにより、支持棒１２が図７および１０のようにロープ１８の子縄１８間を貫通するとともに、ロープカバー嵌合部１６ａ，１６ｂがロープカバー１９のジョイント嵌合部２１に、支持棒１２の先端部が棒受部１４に、連結突起１５が連結穴１３にそれぞれ嵌合されるようにして互いに組み合わされた後、連結片１１側の端部を先頭にして本体６の筒状部１０の内周側に圧入状態で嵌合され、さらにネジ１７により筒状部１０に固定されている。そして、これにより、ロープ１８はその両端部をそれぞれジョイント７を介して一対の本体６に接続されている。
【００２２】
なお、本実施例では、ロープ１８の両端部は、前記のようにヒートカットされて融着状態とされていること、および挾着体２２により強く挟み付けられていることにより、子縄をほどけないようにする処理が二重に施されているので、ロープ１８を本体６に強固に接続できる。
【００２３】
本実施例においても、前記実施例の場合と同様に、一対の本体６の輪状部９を、２つのコーン４にそれぞれ嵌合することにより、コーン４間にロープ１８を渡して仮柵を構成することができる。
【００２４】
そして、棒を用いないで、ロープ１８を用いるので、不使用時にはロープ１８をまとめて、場所をとらない状態とすることができため、保管および運搬に便利である。
【００２５】
また、前記のように、ジョイント７の第一および第二の分割部分７ａ，７ｂを、支持棒１２がロープ１８の子縄１８間を貫通するようにして組み合わせた後、本体６の筒状部１０の内周側に嵌合し、しかる後にネジ１７により筒状部１０に固定するのみで、ロープ１８の両端部をそれぞれジョイント７を介して本体６に接続できるので、組立が容易である。
【００２６】
また、この第二実施例のようにロープ１８を用いる場合も、前記第一実施例のようにチェーン８を用いる場合も、同じ本体６およびジョイント７を兼用して用いることができる。
【００２７】
なお、この第二実施例のようにロープ１８を用いる場合も、ネジ１７を用いずに、接着等によりジョイント７を筒状部１０に固定してもよいし、圧入のみによりジョイント７を筒状部１０に固定してもよい。また、ジョイント７を筒状部１０に対し非圧入状態で嵌合した上、何らかの手段によりジョイント７を筒状部１０に固定するようにしてもよい。
【００２８】
また、この第二実施例では、視認性を高めるために所謂虎模様（黄色と黒の縞模様）のロープ１８を使用しているが、他の色や模様のロープ１８を使用してもよいことは言うまでない。
【００２９】
さらに、前記第一実施例および第二実施例においては、本体６の筒状部１０およびジョイント７が円筒状をなしているが、本発明においては本体の筒状部およびジョイントを円筒状でなく、角筒状としてもよい。
【００３０】
【発明の効果】
以上のように本発明は、チェーンまたはロープを用いることにより、不使用時には場所をとらない状態とすることができ、保管および運搬に便利である等の優れた効果を得られるものである。
【図面の簡単な説明】
【図１】従来のコーンバーの使用状態を示す斜視図である。
【図２】本発明による仮柵構成具の第一実施例を示す平面図である。
【図３】前記第一実施例における一方の本体付近を示す正面図である。
【図４】前記第一実施例における一方の本体の筒状部とジョイント付近を示す断面図である。
【図５】前記第一実施例におけるジョイントを、開いた状態において示す断面図である。
【図６】前記第一実施例の使用状態を示す斜視図である。
【図７】本発明による仮柵構成具の第二実施例における一方の本体の筒状部とジョイント付近を示す断面図である。
【図８】前記第二実施例におけるジョイントにロープを装着する作業を示す断面図である。
【図９】前記第二実施例におけるロープに対する挾着体の装着状態を示す断面図である。
【図１０】前記第二実施例における一方の本体の筒状部とジョイント付近を、支持棒と垂直な平面で断面した断面図である。
【符号の説明】
４    コーン
５    仮柵構成具
６    本体
７    ジョイント
７ａ  第一の分割部分
７ｂ  第二の分割部分
８    チェーン
８ａ    チェーンのリング
９    輪状部
１０    筒状部
１１    連結片
１２    支持棒
１４    棒受部
１８    ロープ
１８ａ  子縄
１９    ロープカバー
２０    ロープ挿通穴
２１    ジョイント嵌合部
２２    挾着体
【図１】
0003639158.tif 000002
【図２】
0003639158.tif 000003
【図３】
0003639158.tif 000004
【図４】
0003639158.tif 000005
【図５】
0003639158.tif 000006
【図６】
0003639158.tif 000007
【図７】
0003639158.tif 000008
【図８】
0003639158.tif 000009
【図９】
0003639158.tif 000010
【図１０】
0003639158.tif 000011